【事件の表示】
　特願２０１２−５４４８９６「省電力メモリ」拒絶査定不服審判事件〔平成２３年　６月２３日国際公開、ＷＯ２０１１／０７５６４９、平成２５年　５月　２日国内公表、特表２０１３−５１５２９９、請求項の数（２２）〕について、次のとおり審決する。
【結　論】
　原査定を取り消す。
　本願の発明は、特許すべきものとする。
【理　由】
第１　手続の経緯
　本願は、平成２２年１２月１７日を国際出願日とする出願（パリ条約による優先権主張２００９年１２月１８日，米国）であって、平成２６年５月２日付けで拒絶理由が通知され、平成２６年８月１２日付けで意見書が提出されると共に手続補正がされ、平成２７年３月２０日付けで拒絶査定（以下、「原査定」という）がされ、これに対し、平成２７年７月２３日に拒絶査定不服審判が請求され、その後、当審において平成２８年６月１６日付けで拒絶理由（以下、「当審拒絶理由」という）が通知され、平成２８年９月２０日付けで手続補正がされたものである。
第２　本願発明
　本願の請求項１−２２に係る発明は、平成２８年９月２０日付けの手続補正で補正された特許請求の範囲の請求項１−２２に記載された事項により特定されるものと認められる。
本願の請求項１に係る発明（以下、「本願発明」という。）は以下のとおりである。
「【請求項１】
　複数のメモリチャネルの間で分散させられたタイル化画像情報であって、静止画像のスキャンラインを表すタイル化画像情報を、再構成されたタイル化画像情報へと再タイルするように動作するメモリ回路を備え、
　前記再構成されたタイル化画像情報は、一度に１つのスキャンラインが供給されるように前記複数のメモリチャネルのサブセットのうち１つのメモリチャネルに供給される、回路。」　
第３　原査定の理由について
１．原査定の理由の概要
（理由Ｂ）
　本願発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　　　　　　　　　　　　　記
　
　刊行物１：特開２００４−２０５５７７号公報
　刊行物２：特開２００４−１１２７１８号公報
　刊行物３：特開２００６−３０１７２４号公報
　
　上記刊行物１（例えば、第１頁の【要約】の欄，【請求項１１】，【請求項１２】，段落【００１１】−【００１２】，段落【００１８】−【００２５】，段落【００２８】−【００４７】，段落【００５３】−【００５４】，段落【００６５】−【００６６】，【図２】−【図７】の記載参照）には、
「複数のメモリチャネルの間で分散させられるように構成される静止画像の画像情報を、前記複数のメモリチャネルのサブセットの間で分散させられるように構成される再構成された画像情報へと移動させるメモリ回路を備える」ことが開示されている。
　
　静止画像の「スキャンライン」が、静止画像の『横のライン（横１列）』を意味することは、周知の技術的事項であって、刊行物１に開示されているような「静止画像」が、上記の『横のライン』としての「スキャンライン」により構成されることは、当業者が容易に推測し得た技術的事項である。
　刊行物１において、「複数のメモリチャネルの間で分散させられるように構成される静止画像の画像情報を、前記複数のメモリチャネルのサブセットの間で分散させられるように構成される再構成された画像情報へと移動させる」際に、画像情報における“所定の大きさ（サイズ）のデータ”が、前記複数のメモリチャネルのサブセットの１つのメモリチャネル上で一度に通信されるとは認められるものの、当該刊行物１には、補正後の独立形式の請求項１，８，１５に記載されているように『１つのスキャンラインが、１つのメモリチャネル上で一度に通信される』ことは記載されていない。
　しかしながら、『１つのスキャンラインが、１つのメモリチャネル上で一度に通信される』ことは、格別な効果を奏するものではなく、刊行物１において、『１つのスキャンラインが、１つのメモリチャネル上で一度に通信される』ようにすることは、当業者が適宜為し得た設計的事項である。
　
２．原査定の理由の判断
（１）刊行物の記載事項
（１．１）刊行物１には、次の事項が記載されている。
ア．「【要約】
【課題】本発明は、画面の内容に変化がない状態におけるグラフィックスメモリの消費電力を削減することが可能な表示制御方法および表示制御装置を提供する。
【解決手段】
画面が変化しない状態になると、メモリバンク１５１に他のメモリバンク１５２−１５４の格納情報をコピーし、ＧＰＵ１４の内部設定をインターリーブから１つのメモリバンク１５１に変更し
　
イ．「【００１１】
上記目的を達成するために、本発明の表示制御装置は、個別に電力供給可能な
Ｎ個（Ｎは整数）のメモリに順次にアクセスし、これらメモリに格納された画像情報を表示装置に表示する
　
ウ．「【００２０】
ＶＲＡＭ１５は、図２に示すように、例えば４Ｍｂ×３２ｂｉｔの４つのメモリバンク１５１、１５２、１５３、１５４からなり、バス幅を１２８ビットとした４ウェイ・インターリーブ構成をとることができるビデオメモリである
【００２１】
グラフィックスコントローラ１４は、
ＶＲＡＭ１５のメモリ構成を変更することができる
例えば４ウェイ・インターリーブ構成あるいは一つのメモリバンク（例えば１５１）をアクセスする構成のいずれかのメモリ構成に設定することができる
【００２２】
その結果、グラフィックスコントローラ１４の内部設定が４ウェイ・インターリーブ構成である場合には、グラフィックスコントローラ１４はメモリバンク１５１−１５４を並列にアクセス制御する。グラフィックスコントローラ１４の内部設定が単一のメモリバンクアクセスである場合には、グラフィックスコントローラ１４はメモリバンク１５１にアクセス制御する。
【００２３】
グラフィックスコントローラ１４は、ＶＲＡＭ１５に対して、ＶＲＡＭ１５内部の記憶素子に定期的に電荷を再補充してデータの損失を防ぐリフレッシュ動作を指示／実行させる。ＶＲＡＭ１５は、上記各メモリチップ（メモリバンク１５１−１５４をつくるメモリチップ）内部で定期的に自動でリフレッシュ（電荷の再補充）を行うオートリフレッシュ機能を有する。
【００２４】
尚、グラフィックスコントローラ１４によるリフレッシュ動作よりも、メモリチップ単独で実行するオートリフレッシュ機能を用いた方が消費電力は低くなる。
【００２５】
そして、グラフィックスコントローラ１４は、ＶＲＡＭ１５に対して、オートリフレッシュモードの設定あるいは解除を指示するコマンドを出力する。これに対して、ＶＲＡＭ１５は、グラフィックスコントローラ１４からのコマンドに基づいて、グラフィックスコントローラ１４によってリフレッシュされるリフレッシュモードからオートリフレッシュを行うモード（オートリフレッシュモード）への切替えを実行する。」
　
エ．「【００２８】
尚、本実施例では、ＧＰＵ１４の内部設定にて変更するＶＲＡＭ１５のメモリ構成を、４ウェイ・インターリーブ構成と単一のメモリバンクをアクセスする構成のいずれかとしたが、
これに限らず、個別に電力供給可能なＮ個（Ｎは整数、Ｎ＞１）のメモリにおいてＮ個のメモリへ順次アクセスするモードからＭ個（Ｍは整数、Ｍ＜Ｎ）のメモリへアクセスするモードに変更することも可能である。即ち、例えば、インターリーブ構成を、例えば４ウェイ・インターリーブから２ウェイ・インターブに変更したり、８ウェイ・インターリーブを４ウェイ・インターリーブに変更することも可能である
【００２９】
次に、図３乃至図５を用いて、コンピュータシステム１００におけるグラフィックスコントローラ１４とＶＲＡＭ１５間のメモリ構成を変更する制御処理の第１の実施例について説明する。
【００３０】
図３及び図４は、画像の内容に変化が生じないスタティックな状態におけるグラフィックスコントローラ（ＧＰＵ）１４とメモリバンク１５１−１５４の格納内容を模式的に示した図である。
【００３１】
ＣＲＴ１４２やＬＣＤ１４３の画面内容に変化が生じないスタティックな状態である場合には、例えば
図３に示すように、メモリバンク１５１には画像情報Ａが格納され、メモリバンク１５２には画像情報Ｂが格納され、メモリバンク１５３には画像情報Ｃが格納され、メモリバンク１５４には画像情報Ｄが格納されている場合、メモリバンク１５１−１５４の格納内容（画像情報Ａ−Ｄ）に変化がない（変わらない）状態となる
【００３２】
複数あるメモリバンク１５１−１５４の全てを動作させるとそれだけ電力を消費する。これは、メモリバンク１５１−１５４を構成するメモリチップ全てのリフレッシュを必要とすることも原因である。しかし、このようなスタティックな状態においては、メモリバンク１５１−１５４に格納される画像情報Ａ−Ｄに変化が生じない。
【００３３】
そこで、本実施例では、このように
画面内容（メモリバンクが格納している画像情報）に変化が生じないスタティックな状態である場合、ＧＰＵ１４のファームウェアであるグラフィックスドライバは、図４に示すように、メモリバンク１５１−１５４に格納されている画像情報Ａ、Ｂ、Ｃ、Ｄを全て１つのメモリバンク（例えばメモリバンク１５１）に格納する
【００３４】
そして、ＧＰＵ１４の内部設定を例えば単一のメモリバンク（メモリバンク１５１）をアクセスするモードに変更し、以降
スタティックな状態が続くかぎり、メモリバンク１５１に全ての画像情報Ａ、Ｂ、Ｃ、Ｄを格納し、表示する
【００３５】
この結果、メモリバンクのデータ転送速度は４分の１となる。しかし、画面に変化のない状態であるため、メモリバンク１５１へのアクセスはリフレッシュサイクルのみとなる。従って、単一のメモリバンク１５１をアクセスするモードであっても、バス幅３２ビットで画像情報の転送は十分足りるので、問題とならない。
【００３６】
また、本実施例では、残りのメモリバンク（他の３つのメモリバンク１５２−１５４）に対しては、給電を止める（電源を切る）ようになっている。この結果、残りのメモリバンクに格納されている内容は消失する。即ち、メモリバンク１５２に格納されている画像情報Ｂ、メモリバンク１５３に格納されている画像情報Ｃ、メモリバンク１５３に格納されている画像情報Ｄは消えてしまう。
【００３７】
従って、スタティックな状態が続くかぎり、メモリバンクは１つしか動作されていないので、本実施例ではメモリバンクの消費電力が４分の１となる。
【００３８】
ここで、再び画面内容に変化が生じた場合には、グラフィックスドライバは、給電していなかったメモリバンク１５２−１５４への給電を再開し、記憶していたアドレスに基づいて１つのメモリバンク１５１にアクセスし、このメモリバンク１５１に格納されている内容（画像情報Ｂ、Ｃ、Ｄ）を他のメモリバンク１５２−１５４へコピーし、ＧＰＵ１４の内部設定を４ウェイインターリーブのメモリ構成へと変更することにより、メモリバンク１５１−１５４に格納された画像情報Ａ、Ｂ、Ｃ、Ｄを使用した表示へと戻るようになっている。
【００３９】
図５は、上述するようなコンピュータシステム１００におけるグラフィックスコントローラ１４とＶＲＡＭ１５（複数のメモリバンク）間におけるインターリーブ構成の変更処理に関するフローチャート図である。
【００４０】
図５に示すように、まずＣＰＵ１１（ＧＰＵ１４のファームウェアであるグラフィックスドライバ）は、例えば従来の技術（特開平６−５９６５５号公報）にあるような周知の方法で、画面内容あるいはメモリバンクが格納している画像情報に変化があるか否かを常に監視する（ＳＴ１１、ＳＴ１２のＮｏ）。
【００４１】
ＳＴ１１による監視の結果、
画像情報に変化がないスタティック状態であると判定されると
メモリバンク１５１に対して、画像情報Ａを残した状態で、他のメモリバンク１５２−１５４に格納されていた画像情報Ｂ、Ｃ、Ｄをコピーし、メモリバンク１５１に全ての画像情報Ａ、Ｂ、Ｃ、Ｄを格納する
【００４２】
次に、ＣＰＵ１１は、ＧＰＵ１４の内部設定をアクセスするモードを、４ウェイ・インターリーブ構成から、単一のメモリバンク１５１のみをアクセスするモードに変更する。この結果、メモリバンク１５１に格納された画像情報Ａ、Ｂ、Ｃ、Ｄを用いて表示を継続する（ＳＴ１４）。
【００４３】
ＳＴ１４によりＧＰＵ１４の内部設定が変更されると、ＣＰＵ１１は、残りのメモリバンク１５２−１５４に対する給電を止める（電源を切る）（ＳＴ１５）。この際、メモリバンク１５２に格納されている画像情報Ｂ、メモリバンク１５３に格納されている画像情報Ｃ、メモリバンク１５３に格納されている画像情報Ｄはリフレッシュが行われないので、消えてしまう。
【００４４】
この状態で、ＣＰＵ１４は、ＳＴ１１と同様に、画面内容（画像情報）に変化があるか否かを常に監視する（ＳＴ１６）。ＳＴ１６の監視を継続した結果、画面内容（画像情報）に変化が生じたと判定されると（ＳＴ１７のＹｅｓ）、まずＣＰＵ１１は、給電していなかったメモリバンク１５２−１５４への給電を再開する（ＳＴ１８）。この際、メモリバンク１５２−１５４には何も格納されていない状態である。
【００４５】
メモリバンク１５２−１５４への給電が再開されると、ＣＰＵ１１は、ＳＴ１３で記憶したアドレスに基づいて１つのメモリバンク１５１にアクセスし、メモリバンク１５１に格納されており、メモリバンク１５２からコピーされた画像情報Ｂをメモリバンク１５２に戻し、メモリバンク１５３からコピーされた画像情報Ｃをメモリバンク１５３に戻し、メモリバンク１５４からコピーされた画像情報Ｄをメモリバンク１５４に戻す（ＳＴ１９）。
【００４６】
ＳＴ１９によるコピーが終わると、ＣＰＵ１１は、ＧＰＵ１４の内部設定におけるメモリ構成を、単一のメモリバンク１５１のみをアクセスするモードから４ウェイ・インターリーブへと変更する。そして、ＣＰＵ１１は、メモリバンク１５１−１５４に格納された画像情報Ａ、Ｂ、Ｃ、Ｄを使用した表示へと戻す（ＳＴ２０）。再びＳＴ１１へと進み、画面内容（画像情報）に変化があるかの監視を継続する。
【００４７】
上述するように、本実施例では、画面内容（画像情報）に変化がない状態である場合に、複数ある全てのメモリバンクを使用するインターリーブ構成から、より少ないメモリバンク構成に変更し、より少ないメモリバンク構成で画像情報を格納し、使用しないメモリバンクのメモリチップは電源を切っている。従って、
スタティックな状態が続くかぎり、少ないメモリ構成で動作しているので、消費電力を少なく抑えることが可能となる
　
オ．図２−図５
（ア） 前記ア．の「画面が変化しない状態になると、メモリバンク１５１に他のメモリバンク１５２−１５４の格納情報をコピーし、ＧＰＵ１４の内部設定をインターリーブから１つのメモリバンク１５１に変更し」との記載、前記ウ．の「ＶＲＡＭ１５は、図２に示すように、例えば４Ｍｂ×３２ｂｉｔの４つのメモリバンク１５１、１５２、１５３、１５４からなり、バス幅を１２８ビットとした４ウェイ・インターリーブ構成をとることができるビデオメモリである・・・グラフィックスコントローラ１４は、・・・ＶＲＡＭ１５のメモリ構成を変更することができる・・・例えば４ウェイ・インターリーブ構成あるいは一つのメモリバンク（例えば１５１）をアクセスする構成のいずれかのメモリ構成に設定することができる」との記載、前記エ．の「これに限らず、個別に電力供給可能なＮ個（Ｎは整数、Ｎ＞１）のメモリにおいてＮ個のメモリへ順次アクセスするモードからＭ個（Ｍは整数、Ｍ＜Ｎ）のメモリへアクセスするモードに変更することも可能である。即ち、例えば、インターリーブ構成を、例えば４ウェイ・インターリーブから２ウェイ・インターブに変更したり、８ウェイ・インターリーブを４ウェイ・インターリーブに変更することも可能である」 との記載から、「画面が変化しない状態になると、ＶＲＡＭのメモリバンク１５１に他のメモリバンク１５２−１５４の格納情報をコピーし、ＧＰＵ１４の内部設定を４ウェイ・インターリーブから２ウェイ・インターリーブまたは１ウェイ・インターリーブのメモリバンク１５１に変更でき、前記ＶＲＡＭは、４Ｍｂ×３２ｂｉｔの４つのメモリバンク１５１、１５２、１５３、１５４からなり、バス幅を１２８ビットとした４ウェイ・インターリーブ構成をとることができるビデオメモリを備え」ることをよみとることができる。
　
（イ）前記エ．に「図３に示すように、メモリバンク１５１には画像情報Ａが格納され、メモリバンク１５２には画像情報Ｂが格納され、メモリバンク１５３には画像情報Ｃが格納され、メモリバンク１５４には画像情報Ｄが格納されている場合、メモリバンク１５１−１５４の格納内容（画像情報Ａ−Ｄ）に変化がない（変わらない）状態となる・・・画面内容（メモリバンクが格納している画像情報）に変化が生じないスタティックな状態である場合、ＧＰＵ１４のファームウェアであるグラフィックスドライバは、図４に示すように、メモリバンク１５１−１５４に格納されている画像情報Ａ、Ｂ、Ｃ、Ｄを全て１つのメモリバンク（例えばメモリバンク１５１）に格納する・・・スタティックな状態が続くかぎり、メモリバンク１５１に全ての画像情報Ａ、Ｂ、Ｃ、Ｄを格納し、表示する」と記載され、同じく前記エ．に「画像情報に変化がないスタティック状態であると判定されると・・・メモリバンク１５１に対して、画像情報Ａを残した状態で、他のメモリバンク１５２−１５４に格納されていた画像情報Ｂ、Ｃ、Ｄをコピーし、メモリバンク１５１に全ての画像情報Ａ、Ｂ、Ｃ、Ｄを格納する」 と記載されていることから、「変化がない画像情報Ａ、Ｂ、Ｃ、Ｄは、メモリバンク１５１に対して、画像情報Ａを残した状態で、他のメモリバンク１５２−１５４に格納されていた画像情報Ｂ、Ｃ、Ｄをコピーし、メモリバンク１５１に全ての画像情報Ａ、Ｂ、Ｃ、Ｄを格納する」 ことをよみとることができる。
　
　そうすると、引用文献１には、前記エ．に記載された「スタティックな状態が続くかぎり、少ないメモリ構成で動作しているので、消費電力を少なく抑えること」を可能とする次の発明（以下、「引用発明」という。）が記載されている。
　 「画面が変化しない状態になると、ＶＲＡＭのメモリバンク１５１に他のメモリバンク１５２−１５４の格納情報をコピーし、ＧＰＵ１４の内部設定を４ウェイ・インターリーブから２ウェイ・インターリーブまたは１ウェイ・インターリーブのメモリバンク１５１に変更でき、前記ＶＲＡＭは、４Ｍｂ×３２ｂｉｔの４つのメモリバンク１５１、１５２、１５３、１５４からなり、バス幅を１２８ビットとした４ウェイ・インターリーブ構成をとることができるビデオメモリを備え、
変化がない画像情報Ａ、Ｂ、Ｃ、Ｄは、メモリバンク１５１に対して、画像情報Ａを残した状態で、他のメモリバンク１５２−１５４に格納されていた画像情報Ｂ、Ｃ、Ｄをコピーし、メモリバンク１５１に全ての画像情報Ａ、Ｂ、Ｃ、Ｄを格納する、回路」
　
（１．２）刊行物２には、「セルフリフレッシュモードにしておく」（段落【００７０】）ことが記載されている。
　
（１．３）刊行物３には、「画像データの圧縮処理」（段落【００３１】）が記載されている。
　
（２）対比
　本願発明と引用発明とを対比する。
（２．１）引用発明の「４ウェイ・インターリーブ」された「変化がない画像情報Ａ、Ｂ、Ｃ、Ｄ」は、多重メモリチャネル（バス幅１２８ビット）の間で３２ビット幅のメモリチャネル間で分散されているとみることができ、本願明細書の段落【０００２】に「・・・多重メモリチャネルの間でサーフェスを分散させることは、しばしばメモリタイリングと称される」と記載されていること、画像情報として質感などを表示するサーフェスは慣用のものであるから、前記画像情報は本願発明の「複数のメモリチャネルの間で分散させられたタイル化画像情報」を含む。
　
（２．２）引用発明の前記（１）で言及した「変化がない画像情報Ａ、Ｂ、Ｃ、Ｄ」 は本願発明の「静止画像」情報に相当し、 前記イ．に「Ｎ個（Ｎは整数）のメモリに順次にアクセスし、これらメモリに格納された画像情報を表示装置に表示する」と記載され、前記ウ．に「４Ｍｂ×３２ｂｉｔの４つのメモリバンク１５１、１５２、１５３、１５４からなり、バス幅を１２８ビットとした４ウェイ・インターリーブ構成」と記載されていることから、例えば、仮に、表示の１スキャンラインが５１２ビットとすると、４つのメモリバンクには、それぞれＡ｛Ａ１，Ａ２，Ａ３，Ａ４｝、Ｂ｛Ｂ１，Ｂ２，Ｂ３，Ｂ４｝、Ｃ｛Ｃ１，Ｃ２，Ｃ３，Ｃ４｝、Ｄ｛Ｄ１，Ｄ２，Ｄ３，Ｄ４｝（添え字１−４は構成成分を示す。）の１２８ビットが記憶されており、表示の１スキャンラインにつき順次に３２ビットで４つのメモリバンクがアクセスされて（Ａ１Ｂ１Ｃ１Ｄ１Ａ２Ｂ２・・・Ｄ４）のスキャンで５１２ビットが読み出されると解される。また、引用発明の「画像情報Ａを残した状態で、他のメモリバンク１５２−１５４に格納されていた画像情報Ｂ、Ｃ、Ｄをコピー」することにより「１つのメモリバンク１５１に変更した時には」 、（Ａ１，Ａ２，Ａ３，Ａ４，Ｂ１，Ｂ２，Ｂ３，Ｂ４・・・Ｄ４）のように「メモリバンク１５１に全ての画像情報Ａ、Ｂ、Ｃ、Ｄが格納」されると解される。
　
（２．３）表示の１スキャンラインについてみると、４つのメモリバンクに、それぞれ記憶されたＡ｛Ａ１，Ａ２，Ａ３，Ａ４｝、Ｂ｛Ｂ１，Ｂ２，Ｂ３，Ｂ４｝、Ｃ｛Ｃ１，Ｃ２，Ｃ３，Ｃ４｝、Ｄ｛Ｄ１，Ｄ２，Ｄ３，Ｄ４｝、あるいは、「画像情報Ａを残した状態で、他のメモリバンク１５２−１５４に格納されていた画像情報Ｂ、Ｃ、Ｄをコピー」したものＡ｛Ａ１，Ａ２，Ａ３，Ａ４｝、Ｂ｛Ｂ１，Ｂ２，Ｂ３，Ｂ４｝、Ｃ｛Ｃ１，Ｃ２，Ｃ３，Ｃ４｝、Ｄ｛Ｄ１，Ｄ２，Ｄ３，Ｄ４｝は、前記（Ａ１Ｂ１Ｃ１Ｄ１Ａ２Ｂ２・・・Ｄ３Ｄ４）（即ち、「一度に１つのスキャンラインが供給されるように」「再構成された」ものとはタイル化画像情報の構成が異なる。
　
　前記（２．１）−（２．３）の点をふまえ、本願発明と引用発明とを対比すると、本願発明と引用発明とは次の点で一致している。
〈一致点〉
「複数のメモリチャネルの間で分散させられたタイル化画像情報であって、静止画像のスキャンラインを表すタイル化画像情報を、タイルするように動作するメモリ回路を備え、
　前記タイル化画像情報は、メモリチャネルに供給される、回路。」
　
　他方、本願発明と引用発明は、次の点で相違する。
〈相違点１〉
　静止画像のスキャンラインを表すタイル化画像情報を、タイルするように動作するメモリ回路に関し、本願発明は「再構成されたタイル化画像情報へと再」タイルするように動作するのに対し、引用発明はそのようなものではない点。
　
〈相違点２〉
　タイル化画像情報が、メモリチャネルに供給されることに関し、本願発明は、「前記再構成された」タイル化画像情報は、「一度に１つのスキャンラインが供給されるように前記複数のメモリチャネルのサブセットのうち１つの」メモリチャネルに供給されるのに対し、引用発明はそのようなものではない点。　
　
（３）判断
　相違点について検討する。
〈相違点１〉について、
　〈相違点１〉に係る「再構成」は〈相違点２〉に係る「再構成」と同じ「再構成」であり、当該「再構成」されたものは引用発明におけるメモリバンクに分散する画像情報ＢＣＤを１つのメモリバンクにＡＢＣＤのようにコピーしたような構成とは「再構成された」ものでない点で異なるものである。そして、〈相違点１〉の、静止画像のスキャンラインを表すタイル化画像情報を、タイルするように動作するメモリ回路に関し、「再構成されたタイル化画像情報へと再」タイルすることは、刊行物１、刊行物２−３には記載はなく示唆もない。引用発明は、「画像情報Ａを残した状態で、他のメモリバンク１５２−１５４に格納されていた画像情報Ｂ、Ｃ、Ｄをコピーし、メモリバンク１５１に全ての画像情報Ａ、Ｂ、Ｃ、Ｄを格納する」ことにより、メモリの消費電力を削減することを可能としたものであり、発明の単位として完結しているとみることができ、引用発明において、本願発明の〈相違点１〉のように再構成する必要性や動機づけは記載されておらず、記載から自明であるとは言えず、また、他の刊行物にも〈相違点１〉の構成を示す記載や示唆もなく、周知技術ともいえないから、〈相違点１〉について、当業者が容易になし得ることであるということはできない。
　
〈相違点２〉について
　〈相違点２〉に係る、タイル化画像情報が、メモリチャネルに供給されることに関し、「前記再構成された」タイル化画像情報は、「一度に１つのスキャンラインが供給されるように前記複数のメモリチャネルのサブセットのうち１つの」メモリチャネルに供給される点は、刊行物１、刊行物２−３には記載はなく示唆もない。前記「複数のメモリチャネル」に関連し、刊行物１の前記エ．に、「例えば４ウェイ・インターリーブから２ウェイ・インターブに変更したり、８ウェイ・インターリーブを４ウェイ・インターリーブに変更することも可能である」ことが記載されているが、当該「２ウェイ・インターブ」における２ウェイは４ウェイのサブセットといえるとしても、「サブセットのうち１つの」メモリチャネルに供給されるといえるものではなく、しかも、「一度に１つのスキャンラインが供給されるように・・・１つの」メモリチャネルに供給されるものではない。〈相違点２〉に係る構成は、刊行物１、刊行物２−３には記載はなく示唆もなく、周知技術ともいえないから、〈相違点２〉について、当業者が容易になし得ることであるということはできない。
（４）小括
　したがって、本願発明は、当業者が引用発明に基づいて容易に発明をすることができたとはいえない。
また、本願の請求項２−７、２１に係る発明は、本願発明をさらに限定したものであるので、同様に、当業者が引用発明に基づいて容易に発明をすることができたとはいえない。
また、請求項８の「方法」の発明は、前記請求項１に係る発明と同様の事項を有しており本願発明について言及したことと同様のことがいえる。
また、本願の請求項９−１４、２２に係る発明は、請求項８に係る発明をさらに限定したものであるので、同様に、当業者が引用発明に基づいて容易に発明をすることができたとはいえない。
また、請求項１５に係る「デバイス」の発明は、前記請求項１に係る発明と同様の事項を有しており本願発明について言及したことと同様のことがいえる。
また、請求項１６−２０に係る発明は、請求項１５に係る発明をさらに限定したものであるので、同様に、当業者が引用発明に基づいて容易に発明をすることができたとはいえない。　
　よって、原査定の理由によっては、本願を拒絶することはできない。
第４　当審拒絶理由について
１．当審拒絶理由の概要
（１）本願は、特許請求の範囲の記載が下記の点で不備であり、特許法第３６条第６項第１号に規定する要件を満たしていない。
（２）本願は、特許請求の範囲の記載が下記の点で不備であり、特許法第３６条第６項第２号に規定する要件を満たしていない。
　
　　　　　　　　　　　　　　　　記
１．特許法第３６条第６項第１号について　
（１）請求項１には「１つのスキャンラインが・・・一度に通信されるように」という記載があるが、一般に「通信」とは双方向のやり取りを要すると解せるものの、明細書にはそのような通信をすることについては説明も、明示的な記載もなく、そのような構成の発明は、発明の詳細な説明のどこに記載されているのか不明であり、したがって、請求項１に係る発明は発明の詳細な説明に記載されたものではない。（なお、明細書の段落【００２３】、【００４０】には「再タイル化静止画像情報１４２を（例えば一度に１つのスキャンラインを）、…（中略）…供給する。」と記載されているものの、「一度に通信される」こととの対応が不明である。）　
　
（２）請求項８、請求項１５は、請求項１発明の「回路」とはカテゴリが異なるが、実質的に同様の事項を有しており、前記（１）で言及したことと同様のことが言える。　
　
　よって、特許請求の範囲の請求項１、８、１５に記載された発明は、特許法第３６条第６項第１号の規定に適合するものではない。　
　
２．特許法第３６条第６項第２号について　
（１）請求項１には「タイル化画像情報を、・・・再構成されたタイル化画像情報へと移動させる」事項（「事項Ａ」と呼ぶ。）と、「１つのスキャンラインが、前記複数のメモリチャネルのサブセットの１つのメモリチャネル上で一度に通信されるように、前記複数のメモリチャネルの前記サブセットの間で分散させられるように構成される」事項（「事項Ｂ」と呼ぶ。）が、いわば、事項Ａに事項Ｂが入れ子となって記載されている。事項Ａは、メモリ再タイリング回路の動作に関し、事項Ｂは事項Ａの前記再タイリングの後のメモリ制御器のメモリチャネルの制御に係る動作と解される（図１、図４から明らか）が、これらの切り分けが明確に記載されているとはいえず、両動作の関係や順序も明確でないので、請求項１の発明の構成は明確でない。　
　また、事項Ｂの「１つのスキャンラインが、前記複数のメモリチャネルのサブセットの１つのメモリチャネル上で一度に通信されるように、前記複数のメモリチャネルの前記サブセットの間で分散させられるように構成される」ことは、「１つのメモリチャネル上で一度に通信されるように」する動作と、「複数のメモリチャネルの前記サブセットの間で分散させられるように」する動作とを同時、ないし並行して行う動作を含むと解せるが、その様な動作が一体どのような動作なのか明確でない。
　（明細書の段落【００２３】には「再タイル化静止画像情報１４２を（例えば一度に１つのスキャンラインを）、メモリチャネル１２６，１２８，１３０の１つに、対応するメモリバンク１２０，１２２，１２４がもはや容量を有していなくなるまで供給する。対応するメモリバンク１２０，１２２，１２４がもはや容量を有していなくなると、静止画像再タイリング及び電力管理回路１１２は、残りの再タイル化静止画像情報１４２を、メモリチャネル１２６，１２８，１３０の別の１つに、対応するメモリバンク１２０，１２２，１２４がもはや容量を有していなくなるまで供給する。このプロセスは、メモリチャネルのサブセット１４４に対応するメモリバンクのサブセット１４６内に全ての再タイル化静止画像情報１４２が記憶されるまで繰り返す」と記載されており、この記載の例によれば、再構成された後の、再タイル化静止画像情報１４２は、複数のメモリチャネルのサブセットの１つのメモリチャネル上でいわば切り替えを含めてシリアルに行うものと解せるものの、前記請求項１に記載されたような同時、ないし並行して行う動作を含むものと解することができない。）　
　
（２）請求項１には「タイル化画像情報を、・・・再構成されたタイル化画像情報へと移動させる」と記載されているが、「移動」に関し、段落【００２２】には「再タイリングし（例えば移動し）」と記載されているものの、移動と再タイリングとの対応が不明であり、また、再構成した後の前記再構成されたタイル化画像情報を複数のメモリチャネルのサブセットの１つのメモリチャネル上で一度に供給し、前記段落【００２３】に記載されたような供給により分散されるように構成されている点が明確でない。また、「移動させる」事項は、移動の内容が明確でなく、前記段落【００２２】の記載をふまえ、「移動」でなく「再タイリング」または「再タイル」を用いて、例えば、請求項１の「再構成されたタイル化画像情報へと移動させるように動作する」を「再構成されたタイル化画像情報へと再タイリング（再タイル）するように動作する」とするのが好ましい。　
　
（３）請求項８、請求項１５は、請求項１発明の「回路」とはカテゴリが異なるが、実質的に同様の事項を有しており、前記（１）ないし（２）で言及したことと同様のことが言える。　
　
　附記；なお、原審で示された特開２００４−２０５５７７号公報（画面の内容に変化がない状態におけるグラフィックメモリの消費電力削減、国際公開２００７／７２４３５号（ファミリである、特表２００９−５２１０５１号公報；【要約】メモリ管理ユニットを用い、分割がより少数のメモリバンクを占めるように分割を再マッピング）、特開２００４−２７２４４８号公報（【要約】省電力モード、ＳＤＲＡＭ内のバンク、連続的に配置、再配置）に示された発明ないし技術の組み合わせ、特に、前記「バンク」に「連続的に配置、再配置」してゆくことは前記２．（１）で言及した事項Ｂ（１つのスキャンラインが、前記複数のメモリチャネルのサブセットの１つのメモリチャネル上で一度に通信されるように、前記複数のメモリチャネルの前記サブセットの間で分散させられるように構成される」ことと同様のものであると解せられる。）からは導けない構成を、本願各請求項に係る発明に明確に記載されたい。　
　　　
　よって、特許請求の範囲の請求項１、８、１５に記載された発明は、特許法第３６条第６項第２号の規定に適合していない。 
　
２．当審拒絶理由の判断
（１）平成２８年９月２０日付け手続補正書によって、本願の請求項１は「複数のメモリチャネルの間で分散させられ
たタイル化画像情報であって
を、再
再タイルす
、
　
前記再構成されたタイル化画像情報は、一度に１つのスキャンラインが供給されるように前記複数のメモリチャネルのサブセットのうち１つのメモリチャネルに供給される、
再タイルする
　
（２）前記１．（１）で指摘した請求項１には「１つのスキャンラインが・・・一度に通信されるように」という記載が発明の詳細な説明に記載されたものとなり、また、前記２．（１）−（３）の点が補正により明確になった。
　よって、当審拒絶理由１．、２．の点は解消した。
　
第５　むすび
　以上のとおり、原査定の理由によっては、本願を拒絶することはできない。
　また、他に本願を拒絶すべき理由を発見しない。
　よって、結論のとおり審決する。